(57)【要約】【課題】従来、吸引排気装置の内部に堆積し故障にいたる危険性を回避するため、構造や運転方法の検討に工夫を要し、設計に多くの時間と費用を要するといった課題があった。【解決手段】本発明のフィルター清掃装置は、吸引ダクト中を流れてきた塵埃を除去し、排気ダクト中に排出する塵埃除去排出手段を備え、エアフィルターから吸引した塵埃を、吸引排気装置を通さずに排出することで課題を解決するもので、フィルター清掃装置１０１は、吸引ダクト１０３、吸引ノズル１０５、フィルター１０６、吸引排出装置１０７、排気ダクト１０８と、吸引ダクトケース１１３および排気ダクトケース１１４設けられた、塵埃除去排出手段である塵埃除去排出フィルター１１２および清掃パッド１１５で構成される。【選択図】図１
2007101113.tif 000002
【特許請求の範囲】
【請求項１】
空気調和機の、吸込み空気中の塵埃を取り除くエアフィルター上に堆積した塵埃を吸引除去する吸引ノズルと、前記吸引ノズルに接続される吸引ダクトと、前記エアフィルター上に堆積した塵埃を吸引排気する駆動源となる吸引排気装置と、吸引した前記塵埃を誘導し排出する排気ダクトと、前記吸引ダクト中を流れてきた塵埃を除去し前記排気ダクト中に排出する塵埃除去排出手段とで構成されることを特徴とするフィルター清掃装置。
【請求項２】
前記塵埃除去排出手段が、塵埃除去排出フィルターを有し、前記吸引ダクト中で前記吸引ダクト中の塵埃を除去した後、前記排気ダクト中へ移動して除去した塵埃を排気ダクト中へ排出することを特徴とする請求項１に記載のフィルター清掃装置。
【請求項３】
前記塵埃除去排出フィルターが概略円盤形状をなし、中心周りに回転することで、前記吸引ダクトと前記排気ダクトの間を前記塵埃除去排出フィルターのフィルター面が往来することを特徴とする請求項２に記載のフィルター清掃装置。
【請求項４】
前記塵埃除去排出手段が、前記塵埃除去排出フィルターが除去した塵埃を前記排気ダクトへ排出するのを容易ならしめる清掃手段を有することを特徴とする請求項２または請求項３に記載のフィルター清掃装置。
【請求項５】
前記清掃手段が、前記塵埃除去排出フィルターに押圧するよう設けられた弾性部材であることを特徴とする請求項４に記載のフィルター清掃装置。
【請求項６】
前記弾性部材が発泡性シリコン樹脂で発泡成形されたことを特徴とする請求項５に記載のフィルター清掃装置。
【発明の詳細な説明】
【技術分野】
【０００１】
本発明は、空気調和機に用いられるプレフィルターなどに堆積した塵埃を、自動で吸引除去して屋外に排出するフィルター清掃装置に関するものである。
【背景技術】
【０００２】
従来、空気調和機のプレフィルターを清掃する装置には様々な技術が知られている。空気調和機に組み込む形態の装置においてこれらを大別すると、塵埃を除去する手段としてはブラシにより掻き取る方法と吸引による方法などがあり、除去した塵埃の処理方法としては集塵容器に蓄積しメンテナンス時に廃棄する方法と、排気とともに屋外へ排出する方法などがある。また、フィルターの形態としては、通常の概ね平坦な形状のものと、ベルト状をなし駆動軸により駆動循環されるものがある。
【０００３】
図３に示すのは、特許文献１や特許文献２に記載されているフィルター清掃装置である。フィルター装置３０１は、エアフィルター３０６上の塵埃を吸引除去し、除去した塵埃を排気とともに屋外へ排出するもので、フィルターは通常の固定されたエアフィルター３０６で、吸引用の吸入ノズル３０５が動く構成となっている。
【０００４】
図３において、フィルター装置３０１は、フィルター枠３０２と、エアフィルター３０６と、移動可能な吸入ノズル３０５と、吸入ノズル３０５に吸い込みダクト３０３を設け、さらに吸い込みダクト３０３に連結する吸引排気装置３０７と排気ダクト３０８とから構成したものである。吸入ノズル３０５が、駆動モータ３１０に連結された駆動用ワイヤー３０９によって、Ａの矢印方向に移動し、エアフィルター３０６の表面に付着した塵埃を吸入ノズル３０５に設けた吸入口から吸い取り、塵埃は吸い込みダクト３０３、吸引排気装置３０７を通り、排気ダクト２０８から室外へ吐き出される。
【０００５】
吸引排気装置３０７は、特開２００４−３５３９６６号公報に記載されているように、シロッコファンとモーターを備えており、塵埃の混じった空気が内部を通過するよう構成されている。
【特許文献１】特開２００４−２６３９８４号公報
【特許文献２】特開２００４−３５３９６６号公報
【発明の開示】
【発明が解決しようとする課題】
【０００６】
しかしながら、特許文献１および特許文献２に記載の従来の装置においては、塵埃の混じった空気がシロッコファンやモーターを備えた吸引排気装置３０７の内部を通過するため、塵埃が吸引排気装置３０７の内部に堆積し故障にいたる危険性を回避するため、内部構造や運転方法に工夫が必要で、設計に多くの時間と費用を要するといった課題がある。
【０００７】
本発明は、前記従来の課題を解決するもので、吸引排気装置の内部に塵埃が堆積することに因る故障を防ぎ、吸引排気装置の設計を容易ならしめることのできるフィルター清掃装置を提供することを目的とする。
【課題を解決するための手段】
【０００８】
前記従来の課題を解決するために、本発明のフィルター清掃装置は、吸引ダクト中を流れてきた塵埃を除去し、排気ダクト中に排出する塵埃除去排出手段を備えるものである。
【０００９】
これによって、エアフィルターから吸引した塵埃を、吸引排気装置を通さずに排出する
ことができる。
【発明の効果】
【００１０】
本発明のフィルター清掃装置は、塵埃除去排出手段により、エアフィルターから吸引した塵埃を、吸引排気装置を通さずに排出するもので、吸引排気装置の内部に塵埃が堆積することに因る故障を防ぎ、吸引排気装置の設計を容易ならしめることができる。
【発明を実施するための最良の形態】
【００１１】
第１の発明は、吸引ダクト中を流れてきた塵埃を除去し、排気ダクト中に排出する塵埃除去排出手段を備え、エアフィルターから吸引した塵埃を、吸引排気装置を通さずに排出し、吸引排気装置の内部に塵埃が堆積することに因る故障を防ぎ、吸引排気装置の設計を容易ならしめることができる。
【００１２】
第２の発明は、特に第1の発明において塵埃除去排出手段が、塵埃除去排出フィルターを有し、吸引ダクト中の塵埃を除去した後、排気ダクト中へ移動して除去した塵埃を排気ダクト中へ排出するもので、簡単な構造で塵埃除去排出を行うことができる。
【００１３】
第３の発明は、特に第２の発明において、塵埃除去排出フィルターが概略円盤形状をなし、中心周りに回転することで、前記吸引ダクトと前記排気ダクトの間を前記塵埃除去排出フィルターのフィルター面が往来するもので、単純な動作で塵埃除去排出を行うことができる。
【００１４】
第４の発明は、特に第２の発明あるいは第３の発明において、塵埃除去排出フィルターが除去した塵埃を前記排気ダクトへ排出するのを容易ならしめる清掃手段を有するもので、塵埃除去排出性を向上させることができる。
【００１５】
第５の発明は、特に第４の発明において、清掃手段に、塵埃除去排出フィルターに押圧するよう設けられた弾性部材を用いるもので、簡単な構成で清掃手段を構成でき、塵埃除去排出フィルターの移動部における吸引ダクトと排気ダクトのシールも確実ならしめることができる。
【００１６】
第６の発明は、特に第５の発明において、弾性部材として発泡性シリコン樹脂を発泡成形して用いることで、弾性部材の耐摺動性を向上させ信頼性の高い装置を得ることができる。
【００１７】
以下、本発明の実施の形態について、図面を参照しながら説明する。なお、この実施の形態によって本発明が限定されるものではない。
【００１８】
（実施の形態１）
図１は、本発明における第１の実施の形態であるフィルター清掃装置の構成図を示すものである。
【００１９】
本発明における第１の実施の形態は図１に示すように、ダクト型室内機１１１の吸込み側にフィルター清掃装置１０１が取り付けられており、フィルター清掃装置１０１は、フィルター１０６、吸引ノズル１０５と吸引排出装置１０７と吸引ダクト１０３と吸引ダクトケース１１３と、排気ダクトケース１１４と、排気ダクト１０８で構成されている。
【００２０】
ここで、吸引排出装置１０７は羽根車であるシロッコファン１０７ａ、ファンモーター１０７ｂ、ケーシング１０７ｃとで構成され、吸引ノズル１０５は駆動モータ１１０と駆動用の溝が切られた駆動軸１０９によってフィルター１０６を左右に移動するよう構成さ
れている。
【００２１】
シロッコファンは比較的低い周波数でも高い閉切り静圧が得られ、塵埃の付着や絡み付きに対しても強いという特性を有している。この点において本発明に適している。モーターは、制御性や静音性や寿命の観点からＤＣブラシレスモーターを使用している。
【００２２】
そして、吸引ダクトケース１１３と、排気ダクトケース１１４は隣接し、互いの空気の流れは対向するよう配置され、その両方の内部には、塵埃除去排出手段である円盤状の塵埃除去排出フィルター１１２と清掃パッド１１５が配置されており、塵埃除去排出フィルター１１２は円の中心周りに回転し吸引ダクトケース１１３と、排気ダクトケース１１４を往来するよう構成されている。
【００２３】
さらに、清掃パッド１１５は、塵埃除去排出フィルター１１２と、吸引ダクトケース１１３および排気ダクトケース１１４の境界壁部に貼り付けられており、塵埃除去排出フィルター１１２に押圧され、塵埃除去排出フィルター１１２の回転に伴って塵埃除去排出フィルター１１２上の塵埃を清掃するとともに、排気ダクトケース１１４から吸引ダクトケース１１３への空気の漏洩を防ぐシールの役目を果たしている。
【００２４】
フィルターの清掃動作は、まず、吸引ノズル１０５が初期の位置、図１においては右端のフィルター１０６にかからない待機位置１０５ｉの状態で、ファンモータ１０７ｂを駆動させる。引き続き、塵埃除去排出フィルター１１２を回転させながら、駆動モータ１１０を駆動させ、吸引ノズル１０５を矢印Ａの方向に移動させていく。フィルター１０６の全面を清掃し終えると、駆動モータ１１０を逆転し、吸引ノズル１０５を矢印Ａ´の方向に移動させて待機位置１０５ｉに戻す。
【００２５】
吸引ノズル１０５から吸い取られた塵埃は、塵埃除去排出フィルター１１２の吸引ダクトケース１１３内のフィルター面で濾し取られ、塵埃除去排出フィルター１１２の回転にともなって排気ダクトケース１１４へ移動し空気の流れによって排気ダクト１０８へと流されていく。塵埃除去排出フィルター１１２は回転することによって、塵埃の除去と排出を連続的に行うので、塵埃除去排出フィルター１１２に塵埃が堆積して通風抵抗の増加をまねくこともなく理想的な状態でエアフィルターの清掃をすることができる。
【００２６】
図２は、塵埃除去排出フィルター１１２や清掃パッド１１５など塵埃除去手段の説明図で、Ａは吸引ダクトケース１１３および排気ダクトケース１１４部分の水平断面図、ＢはＡの水平断面部を塵埃除去排出フィルター１１２の集塵面側から見た側面図である。
【００２７】
塵埃除去排出フィルター１１２は、吸引ダクトケース１１３と排気ダクトケース１１４両方に渡って配置され、吸引ダクトケース１１３内は風路すべてを塞ぎ、吸引空気１１９中の塵埃を可能な限り除去できるように構成されている。排気ダクトケース１１４は塵埃除去排出フィルター１１２よりも面積の大きな風路を設け、排気空気１２０の通風抵抗が増加するのを抑えるとともに塵埃除去排出フィルター１１２をすり抜けた塵埃が排出されやすいように構成されている。
【００２８】
さらに、塵埃除去排出フィルター１１２には、フィルター駆動モーター１１６が取り付けられており、矢印１２２の方向に回転するよう構成されている。
【００２９】
また、吸引ダクトケース１１３と排気ダクトケース１１４を隔てる境界壁１１７には、塵埃除去排出フィルター１１２に接する部分に、発泡性シリコン樹脂を発泡成形で加工された清掃パッド１１５が配置されており、所定の変形しろ、つまり所定の押圧力で塵埃除去排出フィルター１１２と当接し、吸引ダクトケース１１３と排気ダクトケース１１４の
間をシールしている。そして、清掃パッド１１５の反対側はシールパッド１１６が、フィルター駆動モーター１１６側に取り付けられ、塵埃除去排出フィルター１１２との間で所定の押圧力を与えられ、吸引ダクトケース１１３と排気ダクトケース１１４の間をシールしている。
【００３０】
発泡性シリコン樹脂の弾力性が、吸引ダクトケース１１３と排気ダクトケース１１４の間のシールと塵埃除去排出フィルター１１２に絡みついた埃１２１を引き剥がすのに効果的で、塵埃除去排出フィルター１１２が矢印１２２の方向に回転すると、埃１２１は清掃パッド１１５によって塵埃除去排出フィルター１１２から引き剥がされ、一部は繊維単体で、一部は複数の埃と絡み合いこより状の埃１２３となり排気ダクトケース１１４内に移動する。排気ダクトケース１１４内に移動した繊維単体やこより状の埃１２３は重力や排気空気１２０の流速によって塵埃除去排出フィルター１１２から脱落し、排気ダクトから排出される。
【００３１】
また、発泡性シリコン樹脂を成形加工して用いているので、シリコン樹脂の材料特性と滑らかな表面性が優れた耐摺擦性をもたらし、高い信頼を得ることができる。シールパッド１１６についても同様の観点から発泡性シリコン樹脂を発泡成形加工して用いるのが望ましい。
【００３２】
従って、以上説明したように、本発明のフィルター清掃装置では、塵埃除去排出フィルター１１２により吸引空気中の塵埃を除去し排気ダクト中に排出することで、吸引排気装置１０７の内部に塵埃が堆積することに因る故障を防ぎ、吸引排気装置の設計を容易ならしめることができる。
【００３３】
さらに、塵埃除去排出フィルター１１２が、吸引ダクトケース１１３で塵埃を除去した後、排気ダクトケース１１４へ移動して塵埃を排出するよう構成したことで、簡単な構造で塵埃の除去排出を行うことができる。
【００３４】
特に、塵埃除去排出フィルター１１２が概略円盤形状をなし、中心周りに回転することで、塵埃除去排出フィルター１１２が、吸引ダクトケース１１３と排気ダクトケース１１４の間を移動でき、単純な動作で塵埃除去排出を行うことができる。
【００３５】
また、清掃パッド１１５を設け、塵埃除去排出フィルター１１２に絡みついた埃１２１を引き剥がすことで塵埃除去排出性を向上させることができる。
【００３６】
特に、清掃パッド１１５の弾力性は、埃の引き剥がしにも優れ、塵埃除去排出フィルターの移動部における吸引ダクトケース１１３と排気ダクトケース１１４のシールも確実ならしめることができる。
【００３７】
さらに、清掃パッド１１５の材料として、シリコン樹脂を発泡成形して用いることで、弾性部材の耐摺動性を向上させ信頼性の高い装置を得ることができる。
【産業上の利用可能性】
【００３８】
本発明のフィルター清掃装置は、吸引ダクト中を流れてきた塵埃を除去し、排気ダクト中に排出する塵埃除去排出手段を備え、エアフィルターから吸引した塵埃を、吸引排気装置を通さずに排出し、吸引排気装置の内部に塵埃が堆積することに因る故障を防ぎ、吸引排気装置の設計を容易ならしめるものであって、室内機の形態を問わず空気調和機に対して特に有効なものであるが、空気清浄機や換気装置などにも適用できる。
【図面の簡単な説明】
【００３９】
【図１】本発明の実施の形態１におけるフィルター清掃装置の構成を示す斜視図
【図２】本発明の実施の形態１におけるフィルター清掃装置の塵埃除去手段の構成を示す断面図と側面図
【図３】従来のフィルター清掃装置の構成を示す斜視図
【符号の説明】
【００４０】
１０１  フィルター清掃装置
１０３  吸引ダクト
１０５  吸引ノズル
１０５ｉ  待機位置
１０６  フィルター
１０７  吸引排出装置
１０７ａ  シロッコファン
１０７ｂ  ファンモーター
１０７ｃ  ケーシング
１０８  排気ダクト
１０９  駆動軸
１１０  駆動モータ
１１１  室内機
１１２  塵埃除去排出フィルター
１１３  吸引ダクトケース
１１４  排気ダクトケース
１１５  清掃パッド
【図１】
2007101113.tif 000003
【図２】
2007101113.tif 000004
【図３】
2007101113.tif 000005